(57)【要約】【課題】洗浄液タンクから液供給通路を介して供給された洗浄液をまつ毛に供給し、洗浄ブラシによってまつ毛を洗浄することにより、まつ毛を簡便かつ安全に洗浄することができる。【解決手段】マスカラ洗浄具１は、マスカラが付着したまつ毛に洗浄液を開口部から供給して洗浄する洗浄ブラシを有する洗浄具と、洗浄液を貯留する洗浄液タンクと、洗浄具と洗浄液タンクとを連通し、洗浄液タンクから洗浄液を洗浄具に供給する液供給通路と、を有し、洗浄具により洗浄液タンクから液供給通路を介して供給された洗浄液をまつ毛に供給してマスカラを除去して洗浄し、洗浄具を洗浄液タンクの取付部に差し込んで取り付け、洗浄ブラシの先端部に対向する位置に、開口部を配置した。【選択図】図４
2010269120.tif 000002
【特許請求の範囲】
【請求項１】
マスカラが付着したまつ毛に洗浄液を開口部から供給して洗浄する洗浄ブラシを有する洗浄具と、
前記洗浄液を貯留する洗浄液タンクと、
前記洗浄具と前記洗浄液タンクとを連通し、前記洗浄液タンクから前記洗浄液を前記洗浄具に供給する前記液供給通路と、を有し、
前記洗浄具により前記洗浄液タンクから前記液供給通路を介して供給された
前記洗浄液をまつ毛に供給してマスカラを除去して洗浄するマスカラ洗浄具であり、
前記洗浄具を前記洗浄液タンクの取付部に差し込んで取り付け、
前記洗浄ブラシの先端部に対向する位置に、前記開口部を配置したことを特徴とするマスカラ洗浄具。
【請求項２】
前記洗浄液タンクは、前記取付部を中心とする中心線と交差する部分を有する側を背側とし、中心線と交差する部分を有しない側を腹側とし、
前記背側の容積より前記腹側の容積が大きくし、
前記腹側を下にした使用状態では、前記開口部から洗浄液を吸入して腹側に溜め、
前記腹側を水平または上にした使用状態では、前記開口部から洗浄液を供給することを特徴とする請求項１に記載のマスカラ洗浄具。
【請求項３】
前記洗浄液タンクから前記洗浄液を前記液供給通路を介して前記洗浄ブラシに供給する洗浄液供給手段と、
前記洗浄液を身体の特定部位に供給するときに前記洗浄ブラシを可動する洗浄具可動手段とを有することを特徴とする請求項１または請求項２に記載のマスカラ洗浄具。
【請求項４】
前記洗浄具と前記洗浄液タンクとの間に、洗浄時に供給した洗浄液が前記洗浄具を伝わって流下することを防止する受け部材を有することを特徴とする請求項１乃至請求項３のいずれか１項に記載のマスカラ洗浄具。
【請求項５】
前記洗浄ブラシを覆う蓋体と、
前記蓋体の開閉に連動して前記液供給通路を開閉する通路開閉手段と、を有することを特徴とする請求項１乃至請求項３のいずれか１項に記載のマスカラ洗浄具。
【発明の詳細な説明】
【技術分野】
【０００１】
この発明は、マスカラ洗浄具に関し、人の目の周囲のまつ毛に塗布されたマスカラを簡便に洗浄できるようにしたものである。
【背景技術】
【０００２】
例えば、化粧のために目の周囲のまつ毛にマスカラを塗布することが行われている特許文献１）。このマスカラを落す手法としては、化粧用塗布液専用に用意された除去液を綿棒やティッシュペーパーに含ませてまつ毛や目蓋を擦ったり、挟んだりすることにより、マスカラを拭い取る方法を用いたり、クレンジングクリームを塗ってコットンで拭き取ったり、洗顔をする際に目の周囲に石鹸を塗って指で擦りながら湯又は水で洗い流すような手法を用いている。
【先行技術文献】
【特許文献】
【０００３】
【特許文献１】特開２００９−６０９９８号公報
【発明の概要】
【発明が解決しようとする課題】
【０００４】
このような従来の手法は、マスカラを除去することにまつ毛を擦ったり挟んだりすることになるので、結局まつ毛が抜けたり、折れたり、曲ったりすることによりまつ毛を傷めるような結果になっている。
【０００５】
実際上、まつ毛は髪の毛のように毛量が多くなく、極めて少ないのであるから、抜けたり折れたりさせるようなことはできるだけ回避することが望ましい。
【０００６】
この発明は、以上の点を考慮してなされたもので、まつ毛を簡便かつ安全に洗浄できるようにしたマスカラ洗浄具を提案することを目的とする。
【課題を解決するための手段】
【０００７】
前記課題を解決し、かつ目的を達成するために、この発明は、マスカラが付着したまつ毛に洗浄液を開口部から供給して洗浄する洗浄ブラシを有する洗浄具と、前記洗浄液を貯留する洗浄液タンクと、前記洗浄具と前記洗浄液タンクとを連通し、前記洗浄液タンクから前記洗浄液を前記洗浄具に供給する前記液供給通路と、を有し、前記洗浄具により前記洗浄液タンクから前記液供給通路を介して供給された前記洗浄液をまつ毛に供給してマスカラを除去して洗浄するマスカラ洗浄具であり、前記洗浄具を前記洗浄液タンクの取付部に差し込んで取り付け、前記洗浄ブラシの先端部に対向する位置に、前記開口部を配置したことを特徴とする。
【０００８】
また、前記洗浄液タンクは、取付部を中心とする中心線と交差する部分を有する側を背側とし、中心線と交差する部分を有しない側を腹側とし、前記背側の容積より前記腹側の容積が大きくし、前記腹側を下にした使用状態では、前記開口部から洗浄液を吸入して腹側に溜め、前記腹側を水平または上にした使用状態では、前記開口部から洗浄液を供給するようにしてもよい。
【０００９】
また、前記洗浄液タンクから前記洗浄液を前記液供給通路を介して前記洗浄ブラシに供給する洗浄液供給手段と、前記洗浄液を身体の特定部位に供給するときに前記洗浄ブラシを可動する洗浄具可動手段とを有するようにしてもよい。
【００１０】
また、前記洗浄具と前記洗浄液タンクとの間に、洗浄時に供給した洗浄液が前記洗浄具を伝わって流下することを防止する受け部材を有してもよい。
【００１１】
また、前記洗浄ブラシを覆う蓋体と、前記蓋体の開閉に連動して前記液供給通路を開閉する通路開閉手段と、を有するようにすることができる。
【００１２】
洗浄液タンクは、ゴム、軟質プラスチック、硬質プラスチック、金属等によって成形される。洗浄液タンクから液供給通路を介して供給される洗浄液は、連続した供給でも、間欠的な供給でもよい。また、洗浄液の供給量は、常に一定でも、また自由に調節することができようにしてもよい。また、洗浄液の供給状態は、連続して流れる状態、液滴状態、噴霧状態などである。
【００１３】
また、洗浄具可動手段の可動としては、回転、往復、揺動、振動等である。この回転、往復、揺動、振動などを、身体の洗浄される洗浄対象部位に応じて、また洗浄する時間等に応じて、選択し、あるいは組み合わせて可動するようにしてもよい。
【００１４】
また、洗浄液供給手段は、手動操作によって、または機械的、電気的な操作によって、洗浄液タンクから洗浄液を供給する。洗浄液タンク自体が洗浄液供給手段となるようにしてもよいし、洗浄液タンクとは別体に洗浄液供給手段を設けてもよい。洗浄液の供給は、間欠的に供給する構成でも、連続して供給する構成でもよい。また、洗浄具可動手段の駆動に連動して、洗浄液を供給するようにしてもよい。
【００１５】
また、洗浄時に供給した洗浄液が洗浄具を伝わって流下することを防止する受け部材を有し、この受け部材の取り付け位置は洗浄操作する手が洗浄液で濡れない位置が好ましい。受け部材は、板状、洗浄液を貯める皿状、ラッパ状、洗浄液を貯留する容器状、さらに浸透する洗浄液を含む多孔質部材などで構成される。まつ毛、髪、顔、口内などを洗浄する場合には、洗浄具が上下方向の上方になり、洗浄液タンクが下方になるため、例えば手で洗浄液タンク等を握って洗浄を行なうと、洗浄時に供給した洗浄液が洗浄具を伝わって流下するが、受け部材によって洗浄液を受けることになり、手などが汚れることを防止することができる。
【００１６】
また、洗浄ブラシを覆う蓋体の開閉に連動して液供給通路を開閉する通路開閉手段を有し、使用時には、蓋体を開くと液供給通路が自動的に開いて処理液が供給可能になる。一方、洗浄が終了するときに洗浄液が残っていると、さらに使用することができるために蓋体を閉じて再使用する。この蓋体を閉じるときに、連動して液供給通路が閉じるために、簡単かつ確実に洗浄液の供給を停止することができる。
【発明の効果】
【００１７】
前記構成により、この発明は、洗浄液タンクから液供給通路を介して供給された洗浄液をまつ毛に供給し、洗浄ブラシによってまつ毛を洗浄することにより、まつ毛を簡便かつ安全に洗浄することができる。
【図面の簡単な説明】
【００１８】
【図１】第１の実施の形態の（ａ）はマスカラ洗浄具の側面図、（ｂ）はマスカラ洗浄具の断面図である。
【図２】第２の実施の形態のマスカラ洗浄具の断面図である。
【図３】第３の実施の形態の（ａ）はマスカラ洗浄具を下向きで使用する状態の断面図、（ｂ）は洗浄ブラシの正面図、（ｃ）はマスカラ洗浄具を上向きで使用する状態の断面図である。
【図４】第４の実施の形態の（ａ）はマスカラ洗浄具の腹側を上にして使用する状態の断面図、（ｂ）はマスカラ洗浄具の腹側を下にして使用する状態の断面図である。
【図５】第５の実施の形態の（ａ）はマスカラ洗浄具の一部を破断した側面図、（ｂ）は洗浄部の正面図である。
【図６】第６の実施の形態の（ａ）はマスカラ洗浄具の一部を破断した側面図、（ｂ）は洗浄部の正面図である。
【図７】第７の実施の形態の（ａ）はマスカラ洗浄具の一部を破断した側面図、（ｂ）は洗浄部の正面図である。
【図８】第８の実施の形態の洗浄具の断面図である。
【図９】第９の実施の形態の（ａ）はマスカラ洗浄具の断面図、（ｂ）はマスカラ洗浄具のポンプの構成を示す図である。
【図１０】第１０の実施の形態のマスカラ洗浄具の断面図である。
【図１１】第１１の実施の形態のマスカラ洗浄具の断面図である。
【図１２】第１２の実施の形態の（ａ），（ｂ）はマスカラ洗浄具の断面図である。
【図１３】第１３の実施の形態の（ａ），（ｂ），（ｃ）はマスカラ洗浄具の断面図である。
【図１４】第１４の実施の形態の洗浄液回収皿を示す図である。
【図１５】第１４の実施の形態の他の洗浄液回収皿を示す図である。
【図１６】第１４の実施の形態の他の洗浄液回収皿を示す図である。
【図１７】第１４の実施の形態の他の洗浄液回収皿を示す図である。
【図１８】第１５の実施の形態の受け部材を示す図である。
【図１９】第１６の実施の形態の洗浄具により洗浄液タンクから液供給通路を介して供給された洗浄液を身体に供給して洗浄する構成を示す図である。
【図２０】第１７の実施の形態の（ａ）は洗浄液タンクの正面図、（ｂ）は洗浄液タンクの使用状態の断面図である。
【発明を実施するための形態】
【００１９】
以下、この発明のマスカラ洗浄具の実施の形態について説明する。この発明の実施の形態は、発明の最も好ましい形態を示すものであり、この発明はこれに限定されない。
［第１の実施の形態］
第１の実施の形態のマスカラ洗浄具を、図１に基づいて説明する。図１（ａ）はマスカラ洗浄具の側面図、図１（ｂ）はマスカラ洗浄具の断面図である。このマスカラ洗浄具１は、洗浄具２と、洗浄液タンク３と、洗浄具２と洗浄液タンク３とを連通する液供給通路４とを有する。洗浄具２は、合成樹脂、金属材料で構成された円柱状の中継ぎ部材２ａを有し、中継ぎ部材２ａの先端部に洗浄ブラシ２ｂ及びブラシカバー２ｃが取り付けられていると共に、中継ぎ部材２ａの後端部に洗浄液タンク３が取り付けられている。
【００２０】
洗浄ブラシ２ｂは、２本のステンレス線材を振り合わせてなる心材２ｂ１に対して、その振りあわせ面に太さ０．０８〔ｍｍ〕の合成樹脂材料の糸でなる毛材２ｂ２を挟み付け保持することにより全体として毛材２ｂ２が放射状に外方に突出すると共に、毛先が円柱状に切り揃えられた円柱状ブラシ形状を有し、その心材２ｂ１が中継ぎ部材２ａの先端部に穿設されている。
【００２１】
洗浄ブラシ２ｂは中継ぎ部材２ａから前方に突出すると共に、中継ぎ部材２ａの外周面に設けられたローレット２ａ１をユーザが指で持って回動操作したとき、洗浄ブラシ２ｂが中継ぎ部材２ａと一体になって心材２ｂ１を中心として回動動作する。この洗浄ブラシ２ｂが、身体に洗浄液を供給して洗浄する洗浄部を構成する。
【００２２】
洗浄液タンク３は、洗浄液を貯留し、後端面を閉塞してなる円筒状のタンク本体３ａの先端に円筒状の取付部３ｂを有し、この取付部３ｂの周囲に形成された雄ねじ構成の取付けねじ３ｂ１を中継ぎ部材２ａの後端部に形成された雌ねじ構成の取付けねじ２ａ２にねじ込むことにより、取付部３ｂに蓋をするように一体に取り付けられる。洗浄液タンク３は、軟質樹脂、またはゴム等の弾性部材で形成され、指で押し圧すると洗浄液タンク３が変形して内部に貯留された洗浄液が液供給通路４から洗浄具２に供給され、押し圧を止めることで変形した洗浄液タンク３は元の形状に復帰するようになっている。
【００２３】
洗浄液タンク３に洗浄液を入れた状態で、取付けねじ３ｂ１を中継ぎ部材２ａの取付けねじ２ａ２にねじ込むことにより、内部に洗浄液を保持した洗浄液タンク３を中継ぎ部材２ａに取り付けることにより、中継ぎ部材２ａがローレット２ａ１によって回動操作されたとき、洗浄液タンク３が内部に洗浄液を保持しながら中継ぎ部材２ａと一体に回動動作するようになされている。中継ぎ部材２ａの取付けねじ２ａ２に洗浄液タンク３の取付けねじ３ｂ１がねじ込まれるとき、取付部３ｂと中継ぎ部材２ａとの間にＯリング５を介挿することにより液漏れを防ぐ。
【００２４】
液供給通路４は、洗浄具２と洗浄液タンク３とを連通し、洗浄液タンク３から洗浄液を開口部４ｆから洗浄具２に供給する。この開口部４ｆは、洗浄液タンク３の取付部３ｂの中心線Ｌ１上の位置より外側に変位しており、この開口部４ｆは洗浄ブラシ２ｂと対向する位置に配置されている。洗浄具２により洗浄液タンク３から液供給通路４を介して供給された洗浄液を身体に供給して洗浄する。液供給通路４は、洗浄液タンク３の取付部３ｂから中継ぎ部材２ａに連通して形成され、これにより洗浄液タンク３内から押し出された洗浄液が、液供給通路４を通って中継ぎ部材２ａの開口部４ｆから先端面側に供給し得るようになされている。中継ぎ部材２ａの先端部２ａ３には、ブラシカバー２ｃの後端部２ｃ１を嵌め込むことにより、洗浄ブラシ２ｂと対向するようにブラシカバー２ｃの断面円弧状のカバー部２ｃ２が設けられる。
【００２５】
以上の構成において、ユーザが目の周囲に塗布している化粧用塗布液を洗浄するときには、ユーザは、洗浄液タンク３に洗浄液として例えば石鹸水を入れた状態で、顔を前方下向きに傾けると共に、中継ぎ部材２ａのローレット２ａ１を指で把持して、カバー部２ｃ２を下側にし、かつ洗浄ブラシ２ｂを上側に向けた状態で、洗浄ブラシ２ｂを目の周囲のまつ毛ないしまぶたに対向させた状態に構える。
【００２６】
この状態において、ユーザは、洗浄液タンク３を手のひらで押圧することにより洗浄液を押し出しながら、中継ぎ部材２ａのローレット２ａ１を回動方向ないし前後方向に動かす。
【００２７】
このとき洗浄液タンク３は、ユーザの手のひらによる押圧操作によって洗浄液タンク３内の圧力が上昇することにより、洗浄液が液供給通路４を通って開口部４ｆから中継ぎ部材２ａの先端面側に押し出される。ユーザが手のひらを洗浄液タンク３から離すと、洗浄液タンク３が元の形状に復帰し、再度手のひらによる押圧操作によって洗浄液タンク３内の圧力が上昇することにより、洗浄液が液供給通路４を通って開口部４ｆから中継ぎ部材２ａの先端面側に押し出される。かくして押し出された洗浄液はブラシカバー２ｃの内面上を流れてブラシカバー２ｃ上にある洗浄ブラシ２ｂに含ませる。洗浄ブラシ２ｂは、洗浄液を含んだ状態で、ユーザのローレット２ａ１の動きに応じて回動方向又は前後方向に動くことにより、洗浄ブラシ２ｂの毛材２ｂ２の先端がまつ毛ないしまぶたに触れながら洗浄液を供給できる状態になる。
【００２８】
このようにして、まつ毛ないしまぶたに塗布されている化粧用塗布液に対して石鹸水が流されると共に、洗浄ブラシ２ｂの毛材２ｂ２は、糸径が０．０８〔ｍｍ〕程度の細い糸材で構成されていることにより先端が回動方向ないし前後方向に往復動作しながらまつ毛ないしまぶたに柔らかく接触し、これによりまつ毛ないしまぶたに塗布された化粧用塗布液が毛材２ｂ２の先端によってかき落されながら石鹸水によって洗い落される。
【００２９】
洗浄ブラシ２ｂの毛材２ｂ２は、糸径が細い糸材で構成されているので、まつ毛ないしまぶたに触れる毛材２ｂ２の当たりが柔らかいことにより、目の周りの化粧用塗布液によって汚されたその周囲の部分を簡便かつ安全に洗浄することができる。このとき目の周りの部分に同時に冷水又は湯水を流せば洗浄効果を高めることができる。
【００３０】
この実施の形態の揚合、中継ぎ部材２ａの後端部には、板状の把持子６の前端部が嵌め込まれている。この把持子６は、中継ぎ部材２ａから洗浄液タンク３を取り外すことにより、外部に露出した状態になる。このときユーザは、洗浄液として石鹸水を入れた洗浄液槽を別途用意し、把持子６を手に持って先端の洗浄ブラシ２ｂを用意された洗浄液槽に浸した後、洗浄ブラシ２ｂを洗浄すべき目の周囲に持って来て把持子６を回動操作ないし前後移動操作することにより石鹸水が浸された洗浄ブラシ２ｂによって洗浄対象部位、すなわち目の周囲を洗浄させる。
【００３１】
ここで洗浄液が足りなければ、ユーザは把持子６を持ったままその先端の洗浄ブラシ２ｂを用意された洗浄液槽に浸した後、繰り返し洗浄操作をすることができる。この実施の形態の身体洗浄具は、洗浄液タンク３を取り外した状態でも、繰り返し手動操作をすることにより別途用意した洗浄液槽を用いて化粧用塗布液の洗浄を簡便かつ安全に行うことができる。
【００３２】
また、洗浄によって、洗浄液タンク３の洗浄液がなくなったら、洗浄液を貯留したタンク（図示せず）の洗浄液中に洗浄具２の開口部４ｆを入れて、洗浄液タンク３を手で押し圧して変形させた状態から手を離すことで、洗浄液タンク３が元の状態に復帰し、このときの吸引力でタンクの洗浄液が開口部４ｆから吸引されて液供給通路４を介して洗浄液タンク３の内部に貯留され、洗浄液タンク３を交換することなく再使用することができる。
【００３３】
また、指定の洗浄液を入れた洗浄液タンク３を別にして販売していれば、この別販売の洗浄液タンク３の雄ねじと、中継ぎ部材２ａの後端部に形成された雌ねじ構成の取付けねじ２ａ２を同じねじにしておくことで、洗浄液タンク３の洗浄液が消費されてなくなると、別販売の洗浄液タンク３と交換して使用することができる。この別販売の洗浄液タンク３も同様に洗浄によって、洗浄液タンク３の洗浄液がなくなったら、洗浄液を貯留したタンクの洗浄液を吸引して洗浄液タンク３を交換することなく再使用することができる。
【００３４】
［第２の実施の形態］
第２の実施の形態を、図２に基づいて説明する。図２はマスカラ洗浄具の断面図である。この実施の形態のマスカラ洗浄具１は、第１の実施の形態と同じ構成は、同じ符号を付して説明を省略する。この実施の形態では、パイプ構造の中継ぎ部材１２ａを有する。
【００３５】
中継ぎ部材１２ａは、内部空間を液供給通路４として用いて、先端の取付部に心材２ｂ１を差込み保持された洗浄ブラシ２ｂに対して、後端部に差し込まれた洗浄液タンク３からの洗浄液を供給するようになされている。
【００３６】
洗浄液タンク３の取付部３ｂに設けられた雄ねじ３ｂ１には、中継ぎ補助部材１６の後端部に設けられた雌ねじ１６ａがねじ込まれ、これにより取付部３ｂの先端と雌ねじ１６ａの先端側に設けられた段部１６ｂ間に介挿された円環状の軸付け部材１７を締付け保持するようになされている。
【００３７】
軸受け部材１７は、中継ぎ部材１２ａに対する表面滑性力が大きく、かつ洗浄液に対する封止効果が大きい合成樹脂材料で構成され、取付部３ｂと段部１６ｂとの間に狭着保持されたとき、中継ぎ部材１２ａの外表面に形成された環状溝１２ａ５に回転自在に係合するようになされている。かくして、中継ぎ部材１２ａは中継ぎ補助部材１６の先端側位置に形成されたローレット１２ａ６をユーザが回動操作したとき、軸受け部材１７によって軸支された状態で回動動作できるようになされている。
【００３８】
この実施の形態の場合、洗浄ブラシ２ｂにはこれと対向するように断面半円環状のブラシカバー１８が設けられており、ブラシカバー１８の後端部に形成された連結板部１８ａが中継ぎ部材１２ａに沿って後方に延長すると共に、ローレット１２ａ６の外側を通って中継ぎ補助部材１６の前端部にまで延長している。連結板部１８ａの後端には、内側に突出する係止用凸部１８ｂが形成され、この係止用凸部１８ｂが中継ぎ補助部材１６の先端部の外周面に形成された環状突出部１６ｃに嵌め込み係止されている。
【００３９】
ユーザは、ブラシカバー１８を下側位置になるように身体洗浄具を手に持った状態において、ブラシカバー１８の上面にある洗浄ブラシ２ｂを洗浄対象である目の周囲の部位と対向させた状態で洗浄液タンク３を、手のひらで押すことにより洗浄液が液供給通路４を通ってブラシカバー１８に押し出され、これによりブラシカバー１８内の洗浄液を洗浄ブラシ２ｂに含ませる。この状態においてユーザがローレット１２ａ６を回転操作すれば、洗浄ブラシ２ｂの先端が洗浄対象に触れることにより洗浄ブラシ２ｂに含まれた洗浄液によって洗浄対象が洗浄される。
【００４０】
以上の構成によれば、洗浄液タンク３内の洗浄液をユーザの操作に応じて洗浄ブラシ２ｂに供給することにより洗浄対象部位を洗浄することができるが、ブラシカバー１８を安定に洗浄ブラシ２ｂの下側位置に確保することができることにより、洗浄液をこぼすことなく簡便に洗浄対象部位を洗浄することができる。
【００４１】
この第２の実施の形態でも、第１の実施の形態と同様に、洗浄によって、洗浄液タンク３の洗浄液がなくなったら、洗浄液を貯留したタンク（図示せず）の洗浄液中に洗浄具２の開口部４ｆを入れて吸引力でタンクの洗浄液を洗浄液タンク３の内部に貯留し、洗浄液タンク３を交換することなく再使用することができる。
【００４２】
また、指定の洗浄液を入れた洗浄液タンク３を別にして販売していれば、この別販売の洗浄液タンク３の雄ねじと、中継ぎ部材２ａの後端部に形成された雌ねじ構成の取付けねじ２ａ２を同じねじにしておくことで、洗浄液タンク３の洗浄液が消費されてなくなると、別販売の洗浄液タンク３と交換して使用することができ、この別販売の洗浄液タンク３も同様に洗浄によって、洗浄液タンク３の洗浄液がなくなったら、洗浄液を貯留したタンクの洗浄液を吸引して洗浄液タンク３を交換することなく再使用することができる。
【００４３】
［第３の実施の形態］
第３の実施の形態を、図３に基づいて説明する。図３（ａ）はマスカラ洗浄具を下向きで使用する状態の断面図、図３（ｂ）は洗浄ブラシの正面図、図３（ｃ）はマスカラ洗浄具を上向きで使用する状態の断面図である。この実施の形態のマスカラ洗浄具１は、第１の実施の形態と同じ構成は、同じ符号を付して説明を省略する。この実施の形態では、洗浄具２２が中継ぎ部材２２ａを有し、この中継ぎ部材２２ａの後端部には、洗浄液タンク３の取付部３ｂが螺着され、洗浄液タンク３が着脱可能になっている。
【００４４】
洗浄具２２は、ブラシ取付部２２ｂと、ブラシ支持部２２ｃと、洗浄ブラシ２２ｄとを有し、洗浄ブラシ２２ｄは、刷毛ブラシが用いられている。ブラシ取付部２２ｂは、小径部２２ｂ１と、大径部２２ｂ２とを有し、この大径部２２ｂ２にブラシ支持部２２ｃが挿入されて固定され、ブラシ支持部２２ｃに洗浄ブラシ２２ｄが設けられている。ブラシ支持部２２ｃには、洗浄液を供給する開口部２４ａ２と、洗浄液を吸入する開口部２４ｂ２が形成されている。
【００４５】
洗浄具２２は、ブラシ取付部２２ｂの小径部２２ｂ１を中継ぎ部材２２ａの前端部に差込み圧入、あるいは嵌めて取り付けられている。中継ぎ部材２２ａには、液供給通路２４ａと、液吸入通路２４ｂが形成され、液供給通路２４ａは開口部２４ａ２と連通し、液吸入通路２４ｂは開口部２４ｂ２と連通している。液供給通路２４ａには、洗浄液を供給方向に流す逆止弁２４ａ１が設けられ、液吸入通路２４ｂには、洗浄液を吸入方向に流す逆止弁２４ｂ１が設けられている。さらに、中継ぎ部材２２ａの後端部には、吸入パイプ２５の先端部が液吸入通路２４ｂに連通して差し込まれ、吸入パイプ２５は洗浄液タンク３の内部に延びている。逆止弁２４ａ１及び逆止弁２４ｂ１は、ボールベンをスプリングで付勢したものやスリットを有するゴム弁など周知の逆止弁が用いられる。
【００４６】
洗浄液タンク３の取付部３ｂ側には、受け部材７が設けられ、受け部材７は、洗浄時に供給した洗浄液が洗浄具２２を伝わって流下することを防止する。この受け部材７は、洗浄液タンク３と一体に形成してもよいし、ゴム等で成形して洗浄液タンク３の取付部３ｂに嵌め込むようにして設けてもよい。また、受け部材７は、円盤状に形成されているが、皿状、あるいはラッパ状などに形成される。受け部材７が、皿状、あるいはラッパ状などの場合は、開口側が洗浄ブラシ２ｂの方向を向くように設けられる。
【００４７】
ユーザは洗浄ブラシ２２ｄを、図３（ａ）に示すように、下側位置になるようにマスカラ洗浄具を手に持った状態において、洗浄ブラシ２２ｄを洗浄対象であるマニキュア液を塗った爪の部位と対向させた状態で洗浄液タンク３を、手のひらで押すことにより洗浄液の圧力によって液吸入通路２４ｂの逆止弁２４ｂ１が閉じ、液供給通路２４ａの逆止弁２４ａ１が開き、洗浄液が液供給通路２４ａからブラシ支持部２２ｃの開口部２４ａ２から供給され、洗浄ブラシ２２ｄに洗浄液を含ませる。この洗浄ブラシ２２ｄの先端が洗浄対象に触れることにより洗浄ブラシ２２ｄに含まれた洗浄液によって洗浄対象が洗浄される。
【００４８】
また、ユーザは洗浄ブラシ２２ｄを、図３（ｃ）に示すように、上側位置になるようにマスカラ洗浄具を手に持った状態において、洗浄ブラシ２２ｄを洗浄対象である口内の部位と対向させた状態で洗浄液タンク３を、手のひらで押すことにより空気の圧力によって液吸入通路２４ｂの逆止弁２４ｂ１が閉じ、液供給通路２４ａの逆止弁２４ａ１が開き、空気が液供給通路２４ａを流れ、さらに手のひらで洗浄液タンク３を押すことで、洗浄液が液供給通路２４ａを流れ、ブラシ支持部２２ｃの開口部２４ａ２から供給され、洗浄ブラシ２２ｄに洗浄液を含ませる。この洗浄ブラシ２２ｄの先端が洗浄対象に触れることにより洗浄ブラシ２２ｄに含まれた洗浄液によって洗浄対象が洗浄される。
【００４９】
この第３の実施の形態でも、第１の実施の形態と同様に、洗浄によって、洗浄液タンク３の洗浄液がなくなったら、洗浄液を貯留したタンク（図示せず）の洗浄液中に洗浄具２２の開口部２４ｂ２を入れて吸引力でタンクの洗浄液を洗浄液タンク３の内部に吸い込み貯留し、洗浄液タンク３を交換することなく再使用することができる。
【００５０】
また、指定の洗浄液を入れた洗浄液タンク３を別にして販売していれば、この別販売の洗浄液タンク３と交換可能にしておくことで、洗浄液タンク３の洗浄液が消費されてなくなると、別販売の洗浄液タンク３と交換して使用することができ、この別販売の洗浄液タンク３も同様に洗浄によって、洗浄液タンク３の洗浄液がなくなったら、洗浄液を貯留したタンクの洗浄液を吸引して洗浄液タンク３を交換することなく再使用することができる。
【００５１】
以上の構成によれば、洗浄液タンク３を手で押すユーザの操作に応じて、洗浄液を洗浄ブラシ２２ｄに供給することができ、洗浄対象部位に関係なく、洗浄液を確実に供給して洗浄することができる。    
【００５２】
［第４の実施の形態］
第４の実施の形態を、図４に基づいて説明する。図４（ａ）はマスカラ洗浄具の腹側を上にして使用する状態の断面図、図４（ｂ）はマスカラ洗浄具の腹側を下にして使用する状態の断面図である。この実施の形態のマスカラ洗浄具１は、第１の実施の形態と同じ構成は、同じ符号を付して説明を省略する。この実施の形態では、洗浄液タンク３３が、洗浄具３２の中心線Ｌに対して変位して着脱可能に設けられている。洗浄液タンク３３は、取付部３３ｂの位置から一方向に屈曲した形状であり、取付部３３ｂを中心とする中心線Ｌと交差する部分を有する側を背側３３ｃとし、中心線Ｌと交差する部分を有しない側を腹側３３ｄとし、背側３３ｃの容積より腹側３３ｄの容積が大きくなっている。
【００５３】
中継ぎ部材３２ａの後端部には、洗浄液タンク３３の取付部３３ｂが螺着されている。洗浄具３２は、ブラシ取付部３２ｂと、ブラシ支持部３２ｃと、洗浄ブラシ３２ｄとを有し、洗浄ブラシ３２ｄは、刷毛ブラシが用いられている。ブラシ取付部３２ｂに、ブラシ支持部３２ｃが挿入されて固定され、ブラシ支持部３２ｃに洗浄ブラシ３２ｄが設けられている。ブラシ支持部３２ｃには、洗浄液を供給する開口部３４ａ２と、洗浄液を吸入する開口部３４ｂ２が形成されている。
【００５４】
洗浄具３２は、ブラシ取付部３２ｂを中継ぎ部材３２ａの前端部に差込み圧入、あるいは嵌めて取り付けられている。中継ぎ部材３２ａには、液供給通路３４ａと、液吸入通路３４ｂとが形成され、液供給通路３４ａには、洗浄液を供給方向に流す逆止弁３４ａ１が設けられ、液吸入通路３４ｂには、洗浄液を吸入方向に流す逆止弁３４ｂ１が設けられている。洗浄液タンク３３の背側３３ｃ側に液供給通路３４ａが配置され、腹側３３ｄ側に液吸入通路３４ｂが配置されている。
【００５５】
ユーザは、図４（ａ）に示すように、マスカラ洗浄具１を洗浄液タンク３３の腹側３３ｄを上にして手に持った状態において、洗浄ブラシ３２ｄを洗浄対象である顔の部位と対向させた状態で洗浄液タンク３３を、手のひらで押すことにより洗浄液の圧力によって液吸入通路３４ｂの逆止弁３４ｂ１が閉じ、液供給通路３４ａの逆止弁３４ａ１が開き、洗浄液が液供給通路３４ａを流れ、ブラシ支持部３２ｃの開口部３４ａ２から供給され、洗浄ブラシ３２ｄに洗浄液を含ませる。この洗浄ブラシ３２ｄの先端が洗浄対象に触れることにより洗浄ブラシ３２ｄに含まれた洗浄液によって洗浄対象が洗浄される。
【００５６】
この第４の実施の形態でも、第１の実施の形態と同様に、洗浄によって、洗浄液タンク３３の洗浄液がなくなったら、洗浄液を貯留したタンク（図示せず）の洗浄液中に洗浄具３２の開口部３４ｂ２を入れて吸引力でタンクの洗浄液を洗浄液タンク３の内部に吸い込み貯留し、洗浄液タンク３を交換することなく再使用することができるが、図４（ｂ）に示すように、身体特定部位専用洗浄具１を洗浄液タンク３３の腹側３３ｄを下にして手に持った状態において、洗浄液タンク３３を手のひらで押した状態から手のひらを離すと、洗浄液タンク３３が元の形状に復帰し、このときの吸引力によって液供給通路３４ａの逆止弁３４ａ１が閉じ、液吸入通路３４ｂの逆止弁３４ｂ１が開き、洗浄液が開口部３４ｂ２から液吸入通路３４ｂを流れ、洗浄液タンク３３の内部に吸入された洗浄液は、洗浄液タンク３３の腹側３３ｄに溜まる。
【００５７】
また、指定の洗浄液を入れた洗浄液タンク３３を別にして販売していれば、この別販売の洗浄液タンク３３と交換可能にしておくことで、洗浄液タンク３３の洗浄液が消費されてなくなると、別販売の洗浄液タンク３３と交換して使用することができ、この別販売の洗浄液タンク３３も同様に洗浄によって、洗浄液タンク３３の洗浄液がなくなったら、洗浄液を貯留したタンクの洗浄液を吸引して洗浄液タンク３３を交換することなく再使用することができる。この場合は、別販売の洗浄液タンク３３は、交換可能であれば、背側と腹側を有する変形タンクでもよく、円筒形状のタンク等でも良い。
【００５８】
以上の構成によれば、洗浄液タンク３３が背側３３ｃと、腹側３３ｄを有する形状であり、この形状により、腹側３３ｄを下にした使用状態では、洗浄液を吸入して腹側３３ｄに溜めやすく、腹側３３ｄを水平または上にした使用状態では、洗浄液を供給しやすく、洗浄液タンク３３内の洗浄液をユーザの操作に応じて洗浄ブラシ３２ｄに迅速に供給することにより洗浄対象部位に関係なく、洗浄液を確実に供給して洗浄することができる。
【００５９】
［第５の実施の形態］
第５の実施の形態を、図５に基づいて説明する。図５（ａ）はマスカラ洗浄具の一部を破断した側面図、図５（ｂ）は洗浄部の正面図である。このマスカラ洗浄具１は、マスカラブラシであり、洗浄具４２と、洗浄液タンク４３と、洗浄具４２と洗浄液タンク４３とを連通する液供給通路４４とを有する。洗浄具４２は、ブラシカバー４２ａと、洗浄ブラシ４２ｂとを有し、洗浄ブラシ４２ｂの心材４２ｂ１には毛材４２ｂ２を挟み付け保持することにより全体として毛材２ｂ２が放射状に外方に突出すると共に、毛先が円柱状に切り揃えられた円柱状ブラシ形状を有し、その心材４２ｂ１の両端をブラシカバー４２ａに取り付けている。
【００６０】
ブラシカバー４２ａは洗浄液タンク４３の取付部４３ａに差し込んで取り付けられ、このブラシカバー４２ａの内部には、液供給通路４４から洗浄液を洗浄具４２の洗浄ブラシ４２ｂに供給する供給量と供給速度の少なくともいずれかを制御する洗浄液供給制御部材４５が配置されている。この洗浄液供給制御部材４５は、洗浄液を透過させる部材で構成され、例えば連泡スポンジ、フェルト、連泡多孔質部材、不織布、フィラメント繊維、綿、通気紙、樹脂やゴム等に細孔を多数開けたフィルタ等を用いることができる。この洗浄液供給制御部材４５は、板状に形成され、液供給通路４４から洗浄液を洗浄具４２に供給する開口部４４ａに配置され、この洗浄液供給制御部材４５によって、液供給通路４４の断面積が大きくて、供給圧力が大きくて、洗浄液タンク４３からの洗浄液の供給量が多いい場合でも一度に多量の処理液が供給されることがないように制御する。また、洗浄液が洗浄液供給制御部材４５を通過して供給されることで、供給速度が変化し、洗浄液の液滴が小さくなり、洗浄液の供給ムラがなくなる。また、液供給通路４４に洗浄液の供給圧力を与えないでも、洗浄に使用した洗浄液が洗浄液供給制御部材４５に残っていると、この洗浄液供給量制御部材４５は洗浄液を含み、この洗浄液供給制御部材４５が洗浄部に入り込んでいるか、接触していることで、毛細管現象で洗浄部に洗浄液が流れ出して適度の洗浄液の供給が行なわれて良好な洗浄が可能である。
【００６１】
［第６の実施の形態］
第６の実施の形態を、図６に基づいて説明する。図６（ａ）はマスカラ洗浄具の一部を破断した側面図、図６（ｂ）は洗浄部の正面図である。このマスカラ洗浄具１は、歯ブラシであり、洗浄具５２と、洗浄液タンク５３と、洗浄具５２と洗浄液タンク５３とを連通する液供給通路５４とを有する。洗浄具５２は、ブラシカバー５２ａと、洗浄ブラシ５２ｂとを有し、洗浄ブラシ５２ｂの支持体５２ｂ１には毛材５２ｂ２を保持することにより全体として毛材５２ｂ２が外方に突出する。支持体５２ｂ１には、洗浄液を供給する開口部５２ｂ３が形成されている。
【００６２】
ブラシカバー５２ａは洗浄液タンク５３の取付部５３ｂに差し込んで取り付けられ、このブラシカバー５２ａの内部には、液供給通路５４から洗浄液を洗浄具５２の洗浄ブラシ５２ｂに供給する供給量を制御する洗浄液供給制御部材５５が配置されている。この洗浄液供給制御部材５５は、洗浄液を透過させる部材で構成され、第５の実施の形態と同様に作用する。
【００６３】
［第７の実施の形態］
第７の実施の形態を、図７に基づいて説明する。図７（ａ）はマスカラ洗浄具の一部を破断した側面図、図７（ｂ）は洗浄部の正面図である。このマスカラ洗浄具１は、刷毛ブラシであり、洗浄具６２と、洗浄液タンク６３と、洗浄具６２と洗浄液タンク６３とを連通する液供給通路６４とを有する。洗浄具６２は、ブラシカバー６２ａと、洗浄ブラシ６２ｂとを有し、ブラシカバー６２ａが洗浄液タンク６３の取付部６３ａに差し込んで取り付けられ、このブラシカバー６２ａの内部には、液供給通路６４から洗浄液を洗浄具６２の洗浄ブラシ６２ｂに供給する供給量と供給速度の少なくともいずれかを制御する洗浄液供制御手段６５が配置されている。
【００６４】
洗浄液供給制御手段６５は、第５の実施の形態及び第６の実施の形態と同様に構成されるが、この実施の形態では、板状の中央部に突起を有する形状であり、周辺部６５ａと、ブラシカバー６２ａの段部６２ａ１との間で洗浄ブラシ６２ｂの基部６２ｂ１を挟んで保持し、開口部６４ｆから洗浄液が供給される。この洗浄液供給制御手段６５は、洗浄液を透過させる部材で構成され、第５の実施の形態及び第６の実施の形態と同様に作用する。
【００６５】
［第８の実施の形態］
第８の実施の形態を、図８に基づいて説明する。図８は洗浄具の断面図である。このマスカラ洗浄具１の洗浄具７２は、ブラシカバー７２ａと、洗浄ブラシ７２ｂとを有する。洗浄ブラシ７２ｂは、支持体７２ｂ１を有し、支持体７２ｂ１には、毛材７２ｂ２が熱加工により一体に成形され、さらに支持体７２ｂ１には、洗浄液を供給する開口部７４ｆが形成されている。
【００６６】
ブラシカバー７２ａの取付部７２ａ１は洗浄液タンク７３の取付部７３ｂに形成された環状段部７３ｂ１に軸方向に移動可能に取り付けられ、ブラシカバー７２ａの取付部７２ａ１は環状段部７２ａ２を有する。洗浄液タンク７３の取付部７３ｂの先端部には、凹部７３ｂ２が形成され、この凹部７３ｂ２がブラシカバー７２ａのカバー部７２ａ３に形成された環状突起７２ａ４を軸方向に移動可能にする。凹部７３ｂ２には、環状突起７２ａ４より先端側にＯリング７６が設けられ、ブラシカバー７２ａの取付部７２ａ１と洗浄液タンク７３の取付部７３ｂとの間をシールする。
【００６７】
取付部７３ｂの内部には、液供給通路７４が形成され、この液供給通路７４には洗浄液を洗浄具７２の洗浄ブラシ７２ｂに供給する供給量と供給速度の少なくともいずれかを制御する洗浄液供給制御部材７５が配置されている。この洗浄液供給制御部材７５は、洗浄液を透過させる部材で構成され、第５の実施の形態と同様に作用する。
【００６８】
ブラシカバー７２ａの内部には、取付部７３ｂの先端部と、支持体７２ｂ１との間に、開閉弁７７と、ストッパープレート７８が配置され、開閉弁７７とストッパープレート７８との間にスプリング７９が配置されている。開閉弁７７には連通孔７７ａと、弁部７７ｂが形成され、ストッパープレート７８には弁孔７８ａが形成され、この弁孔７８ａは支持体７２ｂ１の開口部７４ｆと連通している。スプリング７９は、開閉弁７７を取付部７３ｂの先端部に押し圧させ、かつストッパープレート７８をブラシカバー７２ａの段部７２ａ５に押し圧させるように付勢し、ストッパープレート７８の弁孔７８ａが常に開放されるようにしている。
【００６９】
洗浄時には、洗浄液タンク７３を手に持った状態において、洗浄ブラシ７２ｂを洗浄対象である部位と対向させた状態で洗浄液タンク７３を、手のひらで押すことにより洗浄液が洗浄液供給制御部材７５を通過して開閉弁７７の連通孔７７ａからストッパープレート７８の弁孔７８ａを通り、支持体７２ｂ１の開口部７４ｆから供給され、洗浄ブラシ７２ｂに洗浄液を含ませる。この洗浄ブラシ７２ｂの先端が洗浄対象に触れることにより洗浄ブラシ７２ｂに含まれた洗浄液によって洗浄対象が洗浄される。
【００７０】
洗浄が終了すると、洗浄液タンク７３の取付部７３ｂに蓋体８０の取付部８０ａを螺着するが、この蓋体８０の内部には環状段部８０ａ１が形成されており、この蓋体８０の螺着によって環状段部８０ａ１がブラシカバー７２ａの環状段部７２ａ２を閉じ方向に押す。これにより、ブラシカバー７２ａが閉じ方向に移動していき、ブラシカバー７２ａの段部７２ａ５がストッパープレート７８を閉じ方向に押すため、ストッパープレート７８はスプリング７９に抗して閉じ方向へ移動する。このストッパープレート７８の閉じ方向の移動によって、弁孔７８ａに開閉弁７７の弁部７７ｂが入り込み、これにより弁孔７８ａを閉じるために洗浄液が流れ出ることがなくなる。
【００７１】
洗浄を行なうときには、洗浄液タンク７３の取付部７３ｂを蓋体８０の取付部８０ａから取り外すと、この蓋体８０の環状段部８０ａ１がブラシカバー７２ａの環状段部７２ａ２を閉じ方向に押さなくなるため、スプリング７９の付勢力によってストッパープレート７８を開き方向に押し、ブラシカバー７２ａが開き方向に移動する。これにより、ストッパープレート７８の開き方向に移動して、弁孔７８ａが開閉弁７７の弁部７７ｂから開放されるために、弁孔７８ａから洗浄液が流れ出る状態になる。
【００７２】
蓋体８０の取付部８０ａを洗浄液タンク７３の取付部７３ｂに螺着して閉じて洗浄部を覆い、開いて洗浄部の覆いを開放し、この蓋体８０の開閉に連動して液供給通路７４を開閉する通路開閉手段を構成し、洗浄する使用時には、蓋体８０を開くと液供給通路７４が自動的に開いて処理液が供給可能になる。一方、洗浄が終了するときに洗浄液が残っていると、さらに洗浄液を使用することができるために蓋体８０を閉じて再使用するが、この蓋体８０を閉じるときに、連動して液供給通路７４が閉じるために、簡単かつ確実に洗浄液の供給を停止することができ、洗浄液が漏れることがない。
【００７３】
［第９の実施の形態］
第９の実施の形態を、図９に基づいて説明する。図９（ａ）はマスカラ洗浄具の断面図、図９（ｂ）はマスカラ洗浄具のポンプの構成を示す図である。このマスカラ洗浄具１は、洗浄具８２と、洗浄液タンク８３と、洗浄具８２と洗浄液タンク８３とを連通する液供給通路８４とを有する。洗浄具８２は第１の実施の形態と同様に構成され、洗浄液タンク８３は軟質、半硬質及び硬質樹脂材料、金属材料等で構成される。洗浄具８２は、合成樹脂材料で構成された円柱状の中継ぎ部材８２ａを有し、中継ぎ部材８２ａの先端部に洗浄ブラシ８２ｂが取り付けられていると共に、中継ぎ部材８２ａの後端部にポンプ８５が取り付けられ、このポンプ８５は洗浄液タンク８３に取り付けられている。
【００７４】
ポンプ８５は、洗浄液レバー８５ａの弁体８５ａ１がポンプ本体８５ｂの内部にポンプ軸方向に移動可能に設けられ、この弁体８５ａ１はスプリング８５ｃによって常に中継ぎ部材８２ａの方向に付勢されている。ポンプ本体８５ｂは、弁体８５ａ１によってポンプ室８５ｄ，８５ｅに区画され、弁体８５ａ１に形成された連通孔８５ａ１１によってポンプ室８５ｄ，８５ｅが連通している。ポンプ室８５ｄは中継ぎ部材８２ａに形成された液供給通路８４と連通し、ポンプ室８５ｅは供給パイプ８７と連通し、供給パイプ８７は洗浄液タンク８３の内部に延びている。ポンプ室８５ｄの連通部には、ポンプ室８５ｄの内部が負圧になると閉じ、圧力が生じると開く逆止弁８５ｄ１が配置され、ポンプ室８５ｄｅの連通部には、ポンプ室８５ｅの内部が負圧になると開き、圧力が生じると閉じる逆止弁８５ｅ１が配置されている。
【００７５】
洗浄操作する際には、ユーザが、洗浄液レバー８５ａを洗浄液タンク８３方向へ移動させると、弁体８５ａ１がスプリング８５ｃに抗して移動し、ポンプ室８５ｄが負圧になり、逆止弁８５ｄ１が閉じ、逆止弁８５ｅ１が開く。これにより供給パイプ８７から洗浄液タンク８３の内部の洗浄液が、ポンプ室８５ｅに流入し、さらに弁体８５ａ１の連通孔８５ａ１１からポンプ室８５ｄに入る。この状態で洗浄液レバー８５ａの移動を停止すると、弁体８５ａ１がスプリング８５ｃの付勢力によって元の位置に復帰し、この洗浄液レバー８５ａの移動操作の繰り返しで、ポンプ室８５ｄに流入する洗浄液の量が多くなると、洗浄液の圧力によって逆止弁８５ｄ１が開き、洗浄液がポンプ室８５ｄから中継ぎ部材８２ａに形成された液供給通路８４から洗浄ブラシ８２ｂに供給される。
【００７６】
この構成によれば、洗浄液タンク８３を手で握り、指で洗浄液レバー８５ａの操作をするだけで、洗浄液タンク８３の内部の洗浄液を液供給通路８４から洗浄ブラシ８２ｂに供給することができ、ユーザの供給操作を一段と簡易化できる。
［第１０の実施の形態］
第１０の実施の形態を、図１０に基づいて説明する。図１０はマスカラ洗浄具の断面図である。このマスカラ洗浄具１は、洗浄具９２と、洗浄液タンク９３と、洗浄具９２と洗浄液タンク９３とを連通する液供給通路９４とを有する。洗浄液タンク９３は、軟質、半硬質及び硬質樹脂材料、金属材料等で構成される。洗浄具９２は、合成樹脂、金属材料で構成された中継ぎ部材９２ａを有し、中継ぎ部材９２ａの先端部に洗浄ブラシ９２ｂが取り付けられている。この洗浄ブラシ９２ｂの心材９２ｂ１は、回転軸９２ｃの前側に挿入して取り付けられ、回転軸９２ｃの後側にはピ二オン９２ｃ１が形成され、回転軸９２ｃは、中継ぎ部材９２ａに回転可能に設けられている。
【００７７】
中継ぎ部材９２ａには、支持軸９２ｄを支点に操作レバー９２ｅが回転操作可能に設けられ、操作レバー９２ｅのラック９２ｅ１が回転軸９２ｃのピ二オン９２ｃ１と噛み合っており、操作部９２ｅ２が中継ぎ部材９２ａから外部に突出して指で操作可能になっている。中継ぎ部材９２ａの止め部９２ａ１と、操作レバー９２ｅのピン部９２ｅ３との間に、スプリング９２ｆが設けられ、このスプリング９２ｆによって操作レバー９２ｅが常に元の位置に復帰するように付勢されている。
【００７８】
中継ぎ部材９２ａの内部には、液供給通路９４が形成され、この液供給通路９４にポンプ９５が配置され、このポンプ９５は第９の実施の形態と同様に構成されている。中継ぎ部材９２ａの後端部には、洗浄液タンク９３が着脱可能に設けられ、ポンプ９５の供給パイプ９７が洗浄液タンク９３の内部に挿入されている。洗浄操作する際には、ユーザが、洗浄液タンク９３を手で握り、指で洗浄液レバー９５ａの操作をするだけで、ポンプ９５の作動で、液供給通路９４から洗浄ブラシ９２ｂに洗浄液を供給することができる。
【００７９】
また、操作レバー９２ｅの操作部９２ｅ２を指で握ってスプリング９２ｆの付勢力に抗して、操作レバー９２ｅが支持軸９２ｄを支点に回転すると、操作レバー９２ｅのラック９２ｅ１によって回転軸９２ｃのピ二オン９２ｃ１が回転し、回転軸９２ｃによって洗浄ブラシ９２ｂが回転する。操作レバー９２ｅの操作部９２ｅ２から指を離すと、スプリング９２ｆの付勢力によって元の位置に復帰するように、操作レバー９２ｅが支持軸９２ｄを支点に逆方向に回転すると、操作レバー９２ｅのラック９２ｅ１によって回転軸９２ｃのピ二オン９２ｃ１が逆方向に回転し、この回転軸９２ｃによって洗浄ブラシ９２ｂが逆方向に回転する。
【００８０】
このように洗浄操作する際には、洗浄ブラシ９２ｂの回転により、ユーザの洗浄操作を一段と簡易化でき、洗浄対象部位に関係なく、洗浄液を確実に供給して確実に洗浄することができる。
［第１１の実施の形態］
第１１の実施の形態を、図１１に基づいて説明する。図１１はマスカラ洗浄具の断面図である。このマスカラ洗浄具１は、洗浄具１１２と、洗浄液タンク１１３と、洗浄具１１２と洗浄液タンク１１３とを連通する液供給通路１１４とを有する。洗浄液タンク１１３は、軟質、半硬質脂材料等で構成される。洗浄具１１２は、合成樹脂、金属材料で構成された中継ぎ部材１１２ａを有し、中継ぎ部材１１２ａの先端部に洗浄ブラシ１１２ｂが取り付けられている。この洗浄ブラシ１１２ｂの心材１１２ｂ１は、回転軸１１２ｃの前側に挿入して取り付けられ、回転軸１１２ｃの後側にはピ二オン１１２ｃ１が形成され、回転軸１１２ｃは、中継ぎ部材１１２ａに回転可能に設けられている。
【００８１】
中継ぎ部材１１２ａには、操作レバー１１２ｅが回転軸１１２ｃの軸方向に対して直交する方向に往復動可能に設けられている。この操作レバー１１２ｅのラック１１２ｅ１が回転軸１１２ｃのピ二オン１１２ｃ１と噛み合っており、操作部１１２ｅ２が中継ぎ部材１１２ａから外部に突出して指で操作可能になっている。中継ぎ部材１１２ａの底部１１２ａ１と、操作レバー１１２ｅの端部１１２ｅ３との間に、スプリング１１２ｆが設けられ、このスプリング１１２ｆによって操作レバー１１２ｅが常に元の位置に復帰するように付勢されている。
【００８２】
中継ぎ部材１１２ａの内部には、液供給通路１１４が形成され、この液供給通路１１４に供給パイプ１１７が接続され、中継ぎ部材１１２ａの後端部には、洗浄液タンク１１３が着脱可能に設けられ、供給パイプ１１７が洗浄液タンク１１３の内部に挿入されている。
【００８３】
洗浄操作する際には、ユーザが、洗浄液タンク１１３を手で握り、指で洗浄液タンク１１３を押し圧するだけで、洗浄液タンク１１３の洗浄液を供給パイプ１１７、液供給通路１１４から洗浄ブラシ１１２ｂに供給することができる。
【００８４】
また、操作レバー１１２ｅの操作部１１２ｅ２を指で押すと、スプリング１１２ｆの付勢力に抗して移動し、この操作レバー１１２ｅの移動によってラック１１２ｅ１によって回転軸１１２ｃのピ二オン１１２ｃ１が回転し、回転軸１１２ｃによって洗浄ブラシ１１２ｂが回転する。操作レバー１１２ｅの操作部１１２ｅ２から指を離すと、スプリング１１２ｆの付勢力によって元の位置に復帰するように操作レバー１１２ｅが移動し、ラック１１２ｅ１によって回転軸１１２ｃのピ二オン１１２ｃ１が逆方向に回転し、この回転軸１１２ｃによって洗浄ブラシ１１２ｂが逆方向に回転する。
【００８５】
このように洗浄操作する際には、洗浄ブラシ１１２ｂの回転により、ユーザの洗浄操作を一段と簡易化でき、洗浄対象部位に関係なく、洗浄液を確実に供給して確実に洗浄することができる。
［第１２の実施の形態］
第１２の実施の形態を、図１２（ａ）に基づいて説明する。図１２（ａ）はマスカラ洗浄具の断面図である。このマスカラ洗浄具１は、洗浄具１２２と、洗浄液タンク１２３と、洗浄具１２２と洗浄液タンク１２３とを連通する液供給通路１２４とを有する。洗浄液タンク１２３は、軟質、半硬質および硬質樹脂材料、金属材料等で構成される。洗浄具１２２は、合成樹脂、金属材料などで構成された中継ぎ部材１２２ａを有し、中継ぎ部材１２２ａの先端部に洗浄ブラシ１２２ｂが取り付けられている。この洗浄ブラシ１２２ｂの心材１２２ｂ１は、回転軸１２２ｃの前側に挿入して取り付けられ、回転軸１２２ｃの後側にはモータ１２５が接続されている。モータ１２５は、電池１２６からの電力の供給によって回転する。中継ぎ部材１２２ａには、モータ１２５への電源の供給を可能にする操作スイッチＳＷが設けられ、さらに電池１２６の交換を可能にする電池蓋１２８が設けられている。
【００８６】
中継ぎ部材１２２ａの内部には、液供給通路１２４が形成され、この液供給通路１２４にポンプ１２９が配置され、このポンプ１２９は第９の実施の形態と同様に構成されている。中継ぎ部材１２２ａの下部には、洗浄液タンク１２３が着脱可能に設けられ、ポンプ１２９の供給パイプ１２７が洗浄液タンク１２３の内部に挿入されている。また、中継ぎ部材１２２ａの内部には、液吸入通路１２５が形成され、この液吸入通路１２５は、タンク取付部材１２４ｇに形成された吸入孔１２４ｇ１と連通し、タンク取付部材１２４ｇには洗浄液タンク１２３の取付部が着脱可能に設けられており、洗浄液タンク１２３によって洗浄液を吸入し、液吸入通路１２５を介して吸入孔１２４ｇ１から洗浄液タンク１２３の内部に吸入される。
【００８７】
洗浄操作する際には、ユーザが、洗浄液タンク１２３を手で握り、指で洗浄液レバー１２９ａの操作をするだけで、ポンプ１２９が駆動する。これにより、洗浄液タンク１２３の内部の洗浄液が供給パイプ１２７を介して吸い上げられて、供給パイプ１２７を介して送り出されて液供給通路１２４に供給され、この液供給通路１２４から洗浄ブラシ１２２ｂに供給される。洗浄液タンク１２３の内部の洗浄液がなくなると、洗浄液タンク１２３によって洗浄液を吸入し、液吸入通路１２５を介して吸入孔１２４ｇ１から洗浄液タンク１２３の内部に吸入される。
【００８８】
また、操作スイッチＳＷをＯＮすると、モータ１２５に電池１２６からの電力が供給されて回転し、このモータ１２５によって回転軸１２２ｃが回転し、回転軸１２２ｃによって洗浄ブラシ１２２ｂが回転する。所定のタイミングで操作スイッチＳＷをＯＦＦするとモータ１２５の回転が停止して回転軸１２２ｃが回転しなくなる。
【００８９】
このように洗浄操作する際には、モータ１２５により洗浄ブラシ１２２ｂを回転することにより、ユーザの洗浄操作を一段と簡易化でき、洗浄対象部位に関係なく、洗浄液を確実に供給して洗浄することができる。
【００９０】
図１２（ｂ）は、図１２（ａ）と同様に中継ぎ部材１２２ａの下部に洗浄液タンク１２３が着脱可能に設けられ、ポンプ１２９の駆動によって洗浄液タンク１２３の内部から洗浄液が供給されるが、洗浄液タンク１２３に並べでモータ１２５と電池１２６が直列に配置され、洗浄液タンク１２３とモータ１２５及び電池１２６を同時に持って操作するようになっている。モータ１２５の出力軸１２５ａに設けたベベルギア１２５ａ１が、回転軸１２２ｃに設けたベベルギア１２２ｃ１と噛み合っており、モータ１２５の回転により回転軸１２２ｃが回転して洗浄ブラシ１２２ｂを回転させる。
［第１３の実施の形態］
第１３の実施の形態を、図１３（ａ）に基づいて説明する。図１３（ａ）はマスカラ洗浄具の断面図である。このマスカラ洗浄具１は、洗浄具１３２と、洗浄液タンク１３３と、洗浄具１３２と洗浄液タンク１３３とを連通する液供給通路１３４とを有する。洗浄液タンク１３３は、半硬質、軟質樹脂、ゴム材料などで構成される。洗浄具１３２は、合成樹脂、金属材料で構成された中継ぎ部材１３２ａを有し、中継ぎ部材１３２ａの先端部に洗浄ブラシ１３２ｂが取り付けられている。この洗浄ブラシ１３２ｂの心材１３２ｂ１は、ブラシ軸１３２ｂ２に差し込まれ、ブラシ軸１３２ｂ２がモータ１３５の出力軸１３５ａに着脱可能に設けられ、洗浄ブラシ１３２ｂが交換可能になっている。モータ１３５は、電池１３６からの電力の供給によって回転し、中継ぎ部材１３２ａには、モータ１３５への電源の供給を可能にする操作スイッチＳＷが設けられ、さらに電池１３６の交換を可能にする電池蓋１３８が設けられている。
【００９１】
中継ぎ部材１３２ａの内部には、液供給通路１３４が形成され、この液供給通路１３４に供給パイプ１３７が接続されている。中継ぎ部材１３２ａの下部には、洗浄液タンク１３３が着脱可能に設けられ、供給パイプ１３７が洗浄液タンク１３３の内部に挿入されている。
【００９２】
洗浄操作する際には、ユーザが、洗浄液タンク１３３を手で握り、指で洗浄液タンク１３３を押し圧するだけで、洗浄液タンク１３３の洗浄液を供給パイプ１３７、液供給通路１３４から洗浄ブラシ１３２ｂに供給することができる。
【００９３】
また、操作スイッチＳＷをＯＮすると、モータ１３５に電池１３６からの電力が供給されて回転し、このモータ１３５によってブラシ軸１３２ｂ２が回転し、ブラシ軸１３２ｂ２によって洗浄ブラシ１３２ｂが回転する。所定のタイミングで操作スイッチＳＷをＯＦＦするとモータ１３５の回転が停止してブラシ軸１３２ｂ２が回転しなくなる。
【００９４】
このように洗浄操作する際には、モータ１３５により洗浄ブラシ１３２ｂを回転することにより、ユーザの洗浄操作を一段と簡易化でき、洗浄対象部位に関係なく、洗浄液を確実に供給して洗浄することができる。
【００９５】
図１３（ｂ）は、図１３（ａ）と同様に中継ぎ部材１３２ａに、モータ１３５と電池１３６が直列に配置されるが、中継ぎ部材１３２ａの下部にモータ１３５と電池１３６と並べて洗浄液タンク１３３が着脱可能に設けられ、洗浄液タンク１３３とモータ１３５及び電池１３６を同時に持って操作するようになっている。
【００９６】
図１３（ｃ）は、図１３（ａ）と同様に中継ぎ部材１３２ａに、モータ１３５と電池１３６が直列に配置されるが、中継ぎ部材１３２ａの前側に洗浄液タンク１３３が設けられ、モータ１３５の出力軸１３５ａが洗浄液タンク１３３の内部を貫通しており、洗浄液タンク１３３を同時に持って操作するようになっている。
［第１４の実施の形態］
第１４の実施の形態は、図１４及び図１５に示すように、マスカラ洗浄具１は、マスカラ洗浄具から供給した洗浄後の洗浄液を受けて貯留する洗浄液回収皿１４０を有し、この洗浄液回収皿１４０は、洗浄具、洗浄液タンク、洗浄具と洗浄液タンクとを連通する液供給通路と別体に形成される。図１４の洗浄液回収皿１４０は、マスカラを洗浄する際に鼻の部分に当てて用いるものであり、開口側の外周につば部１４０ａが形成されている。このつば部１４０ａは、ほほに当てる部分１４０ａ１と、鼻の側部に当てる部分１４０ａ２、１４０ａ３と、この鼻の側部に当てる部分１４０ａ２と１４０ａ３とを連結する部分１４０ａ４とを有する。このほほに当てる部分１４０ａ１は、凹み形状であり、１００Ｒから８００Ｒの曲率がほほに密着でき好ましく、より好ましくは３００Ｒの曲率である。鼻の側部に当てる部分１４０ａ２、１４０ａ３は、凸形状であり、１００Ｒから４００Ｒの曲率が鼻の側部に密着でき好ましく、より好ましくは２５０Ｒの曲率である。鼻の側部に当てる部分１４０ａ２と１４０ａ３とを連結する部分１４０ａ４は、ほほに当てる部分１４０ａ１と同様に形成される。ほほに当てる部分１４０ａ１の幅Ｗ１は、約７０ｍｍ程度が好ましく、側壁の外面からの延出長さＤ１が２ｍｍ〜８ｍｍ程度が好ましく、約４ｍｍ程度がより好ましい。鼻の側部に当てる部分１４０ａ２、１４０ａ３の幅Ｗ２は、約６５ｍｍ程度であり、側壁の外面からの延出長さＤ２が４ｍｍ〜１０ｍｍ程度が好ましく、約７ｍｍ程度がより好ましい。鼻の側部に当てる部分１４０ａ２と１４０ａ３とを連結する部分１４０ａ４の幅Ｗ３は、約１２０ｍｍ程度であり、側壁の外面からの延出長さＤ２が４ｍｍ〜１０ｍｍ程度が好ましく、約７ｍｍ程度がより好ましい。また、洗浄液回収皿１４０の深さＨ１は、約４０ｍｍ程度が好ましいが、流れ落ちる洗浄液を貯めることができる深さであればよい。
【００９７】
洗浄時には、洗浄液回収皿１４０は、図１４（ｄ）に示すように、左側のマスカラ液やアイラインなどを洗浄する際には、ほほに当てる部分１４０ａ１をほほに密着させて当て、鼻の側部に当てる部分１４０ａ２を鼻の左側に密着させて当て、洗浄した汚れた洗浄液を洗浄液回収皿１４０で回収することができる。また、洗浄液回収皿１４０は、図１４（ｅ）に示すように、右側のマスカラ液やアイラインなどを洗浄する際には、ほほに当てる部分１４０ａ１をほほに密着させて当て、鼻の側部に当てる部分１４０ａ３を鼻の右側に密着させて当て、洗浄した汚れた洗浄液を洗浄液回収皿１４０で回収することができる。
【００９８】
図１５の洗浄液回収皿１４０は、マスカラを洗浄する際に目の部分に当てて用いるものである。マスカラ洗浄具１は図１３（ｃ）の実施の形態と同様に構成され、洗浄ブラシ１３２ｂの心材１３２ｂ１を洗浄液回収皿１４０に回動可能に支持され、洗浄液回収皿１４０の側壁１４０ｃを両目の位置に当てて洗浄ブラシ１３２ｂに洗浄液を供給し、この洗浄ブラシ１３２ｂを回転してマスカラを洗浄し、汚れた洗浄液は漏れて流れ落ちることなく洗浄液回収皿１４０に回収される。また、洗浄液回収皿は、開口側の外周につば部を形成し、このつば部を両目の形状に合わせて２箇所を凹ませた形状にしたものでもよい。また、洗浄液回収皿は、側壁に握り部を設けてもよく、底部に握り部を設けてもよい。
【００９９】
洗浄液回収皿１４０の側壁に握り部を設ける場合は、図１６（ａ）に示すように、握り部１４０ｇを側壁と一体に成形してもよく、また図１６（ｂ）に示すように、握り部１４０ｇを側壁と別体に成形して、側壁の任意の位置に着脱可能にしてもよい。図１６  （ｂ）の実施の形態では、洗浄液回収皿１４０の側壁の内側には、倒れ防止のリブ１４０ｉが間隔を変えて設けられ、広い間隔の部分には握り部１４０ｇを取り付け、狭い間  隔の部分には鏡１５０を取り付けるようになっている。握り部１４０ｇと取り付ける部  分と、鏡１５０を取り付ける部分は、リブによって形成したが、側壁に凹み部を設けて  形成してもよい。握り部１４０ｇは、側壁挟み込み部１４０ｇ１と、抜け止め部１４０  ｇ２とを有し、側壁挟み込み部１４０ｇ１を倒れ防止のリブ１４０ｉの広い間隔の部分に装着して取り付け、抜け止め部１４０ｇ２が側壁の底部に係合するために、確実に取り付けられる。鏡１５０の支持部１５０ａは、側壁挟み込み部１５０ａ１と、抜け止め部１５０ａ２とを有し、側壁挟み込み部１５０ａ１を倒れ防止のリブ１４０ｉの狭い間隔の部分に装着して取り付け、抜け止め部１５０ａ２が側壁の底部に係合するために、確実に取り付けられる。握り部１４０ｈの抜け止め部１４０ｈ２と、鏡１５０の抜け止め部１５０ａ２は、側壁に凹み部や凸部を形成して係合するようにしてもよい。
【０１００】
洗浄時は、右利きの人は、握り部１４０ｇを洗浄液回収皿１４０の左側の側壁に取り付け、左手で握り部１４０ｇを持って、鏡１５０を見ながら右手で身体特定部位専用洗  浄具１を操作して洗浄する。左利きの人は、握り部１４０ｇを洗浄液回収皿１４０の右  側の側壁に取り付け、右手で握り部１４０ｇを持って、鏡１５０を見ながら左手で身体  特定部位専用洗浄具１を操作して洗浄する。また、鏡１５０を取り付ける側の側壁に握り部１４０ｇを取り付けて身体特定部位専用洗浄具１を操作して洗浄してもよい。
【０１０１】
また、鏡１５０は、図１６（ｃ）に示すように、支持部１５０ａと鏡本体１５０ｂを連結部材１５０ｃで連結し、この連結部材１５０ｃを屈曲させ、かつ連結部材１５０ｃの両端部をそれぞれ回動可能としておくことで、鏡本体１５０ｂを左右の任意の位置  に移動することができる。この連結部材１５０ｃは、金属、樹脂等の材料で成形される。また、鏡１５０は、図１６（ｄ）に示すように、連結部材１５０ｃは、フレキシブル  ワイヤー、軟質樹脂等の材料で成形され、伸縮自在にしておくことで、鏡本体１５０ｂを左右の任意の位置に移動することができ、しかも上下に移動することができるため、鏡本体１５０ｂをユーザに合わせた位置に自由に移動することができる。
【０１０２】
図１６（ｅ）に示す洗浄液回収皿１４０は、図１６（ａ）〜（ｄ）の実施の形態と同様であるが、握り部１４０ｇに洗浄液のスプレー１７０を装着できるようにしたものである。洗浄時には、スプレー１７０を握り部１４０ｇにセットし、握り部１４０ｇを片手で持ち、かつスプレー１７０を操作して洗浄液を洗浄対象部位に供給し、他方の手でマスカラ洗浄具を操作して洗浄することができる。
【０１０３】
図１６（ｆ）に示す洗浄液回収皿１４０は、握り部１４０ｇに鏡１５０を自由な位置に移動できるようにしたものである。鏡１５０は、鏡本体１５０ｂが支持部１５０ｆによって握り部１４０ｇに支持されているが、支持部１５０ｆの下部が握り部１４０ｇに揺動可能であり、上部が鏡本体１５０ｂに揺動可能であり、さらに支持部１５０ｆに操作レバー１５０ｇが折りたたみ可能に設けられている。洗浄時には、握り部１４０ｇを持った手の親指で操作レバー１５０ｇを操作すると、し、支持部１５０ｆの下部が揺動して鏡本体１５０ｂの位置を上下、左右の自由な位置に移動させることができ、さらに鏡本体１５０ｂを持って向きを変える調整を行なうことができる。
【０１０４】
洗浄後には、支持部１５０ｆを、握り部１４０ｇに形成されたガイド溝１４０ｋに沿って移動させて鏡本体１５０ｂを洗浄液回収皿１４０の内部に収納する。そして、支持部１５０ｆの操作レバー１５０ｇを折りたたみ洗浄液回収皿１４０の内部から出ないようにする。
【０１０５】
図１７の洗浄液回収皿１４０は、マスカラを洗浄する際に頬に当てる部分を有し、かつ身体に保持することで洗浄の利便性を向上させたものである。図１７（ａ）に示す洗浄液回収皿１４０は、頬に当てる部分１４０ｍを有し、この頬に当てる部分１４０ｍは頬に隙間無く密着して当てることができるように、頬に沿わせた曲面壁に形成さている。この頬に当てる部分１４０ｍの両側には、帯状体１４０ｎ１、１４０ｎ２の基部が取り付けられ、帯状体１４０ｎ１、１４０ｎ２の先端部は着脱自在なテープ１４０ｎ１１，１４０ｎ２１が設けられている。帯状体１４０ｎ１、１４０ｎ２は、例えば、革、紐で形成しているが、ゴムなどで形成してもよい。洗浄時に、洗浄液回収皿１４０の頬に当てる部分１４０ｍを頬に当て、帯状体１４０ｎ１、１４０ｎ２を頭に回して着脱自在なテープ１４０ｎ１１，１４０ｎ２１で止めることで、頬に当てる部分１４０ｍが頬に隙間無く密着して当てることができる。また、洗浄液回収皿１４０に洗浄液が溜まると重くなるが、この場合でも確実、かつ安定して保持することができる。また、洗浄液回収皿１４０を手が空くことになり、この空いた手で布巾や綿棒などを持ってマスカラを洗浄することができる。
【０１０６】
図１７（ｂ）に示す洗浄液回収皿１４０は、皿底面の外側下部に、角度調整板１４０ｏが頬に当てる部分１４０ｍから前方向に出し入れ可能に設けられている。この頬に当てる部分１４０ｍの両側には、帯状体１４０ｐが取り付けられ、この帯状体１４０ｐは例えば、ゴムバンドで形成されているが、革、紐などで形成してもよい。洗浄時に、洗浄液回収皿１４０の頬に当てる部分１４０ｍを頬に当て、帯状体１４０ｐを頭に回して止め、角度調整板１４０ｏを所定長さ出し入れすることで、頬に当てる部分１４０ｍの上部を頬に隙間無く密着して当てることができ、かつ角度調整板１４０ｏの頬に対する傾きを調整することで、ユーザの頬の形状が異なる場合でも安定的に保持することができる。
【０１０７】
図１７（ｃ）に示す洗浄液回収皿１４０は、頬に当てる部分１４０ｍを洗浄液回収皿１４０とは別体に設け、この頬に当てる部分１４０ｍの上部に蝶番１４０ｘを取り付けて洗浄液回収皿１４０の傾きを自由に調整することができるようにしている。頬に当てる部分１４０ｍの両側には、硬質フレーム１４０ｑ１，１４０ｑ２を取り付け、この硬質フレーム１４０ｑ１，１４０ｑ２にバンド１４０ｒを設けている。洗浄時に、頬に当てる部分１４０ｍを頬に当て、バンド１４０ｒを頭に回して止め、蝶番１４０ｘによって洗浄液回収皿１４０を回動して洗浄液回収皿１４０の頬に対する傾きを調整することで、ユーザの頬の形状が異なる場合でも安定的に保持することができる。
【０１０８】
また、この実施の形態の洗浄液回収皿１４０は、左右のマスカラの洗浄に用いることができ、さらに図１６に示すように、鏡や握り部を設けたものでもよい。
【０１０９】
［第１５の実施の形態］
第１５の実施の形態は、図１８に示すように、マスカラ洗浄具１は、洗浄時に供給した洗浄液がマスカラ洗浄具を伝わって流下することを防止する受け部材７を有し、第１乃至第１４の実施の形態では、洗浄具２のタンク側、または洗浄液タンク３の手で握る部分の洗浄具２側、または洗浄具２の洗浄液の供給部から洗浄液タンク３の手で握る部分との間に設けられる。この受け部材７は、１個でも、複数でもよく、大きさもマスカラ洗浄具１に応じて設定され、複数設ける場合には、大と中、大と小、大中小の組み合わせでもよい。また、受け部材７は一体に形成してもよく、また別体に形成して必要に応じて取り付けるようにしてもよい。受け部材７の断面形状は、平板の円盤形状、ラッパ形状、皿形状、Ｖ形状などに形成され、また洗浄ブラシの形状に合わせて、洗浄ブラシ軸方向から見て丸、楕円、略四角、略六角などの形状に形成してもよい。
【０１１０】
図１８（ａ）乃至（ｅ）の実施の形態では、受け部材７がラッパ形状であるが、ラッパ形状の大きさや深さは、それぞれの洗浄具や洗浄液の供給量に応じて形成される。図１８（ａ），（ｂ）は洗浄液タンク３の握り部の上部に受け部材７が設けられ、図１８（ｃ），（ｄ）は洗浄具２と洗浄液タンク３との間に受け部材７が設けられ、図１８（ｅ）は洗浄具２の根元に受け部材７が設けられている。この図１８（ａ）乃至（ｅ）の実施の形態では受け部材７は一体に形成してもよいし、別体に形成して取り付けるようにしてもよく、また必要に応じて別体の受け部材７を選択して取り付けるようにしてもよい。また、この受け部材７は、洗浄液を貯める皿、洗浄液を貯留する容器、さらに洗浄液が浸透する多孔質部材などで構成される。まつ毛を洗浄する場合には、洗浄具が上下方向の上方になり、洗浄液タンクが下方になるため、例えば手で洗浄液タンク等を握って洗浄を行なうと、洗浄時に供給した洗浄液が洗浄具を伝わって流下するが、受け部材７によって洗浄液を受けることになり、手などが汚れることを防止することができる。受け部材７に溜まった洗浄液は、漏れないようにして廃棄する。
【０１１１】
図１８（ｆ）〜（ｐ）は、洗浄具２、洗浄液タンク３、液供給通路４、受け部材７の構成の種々の形態を示しており、洗浄具２と洗浄液タンク３は軟質樹脂材料でブロー成形して一体に成形され、受け部材７は一体または別体に形成されている。図１８（ｆ）は洗浄液タンク３を長くし、その上部に腹部を設け、受け部材７は洗浄具２を長くし、その下部に設けている。液供給通路４は洗浄液タンク３から洗浄具２の全体に沿って形成されている。図１８（ｇ）は洗浄液タンク３、洗浄具２、液供給通路４は図１８（ｆ）と同様に構成されるが、受け部材７は洗浄具２の上部に設けている。図１８（ｈ）は洗浄液タンク３に腹部を設けていないが、洗浄具２を短くして受け部材７を設けている。液供給通路４は洗浄具２の途中で一方に変位して形成されている。図１８（ｉ）は洗浄液タンク３、洗浄具２、液供給通路４は図１８（ｈ）と同様に構成されるが、洗浄液タンク３に受け部材７を設け、さらに蓋体を螺着するねじ部３ｉを設けている。図１８（ｊ）は洗浄液タンク３を短くして腹部を設け、受け部材７は洗浄具２の下部に設けている。液供給通路４は洗浄液タンク３から洗浄具２の全体に沿って形成されている。図１８（ｋ）は洗浄液タンク３を長くして腹部を設け、受け部材７は洗浄具２の下部に設けている。液供給通路４は洗浄液タンク３から洗浄具２の全体に沿って形成されている。図１８（ｌ）は洗浄液タンク３と洗浄具２とを変位させ、受け部材７は洗浄具２の下部に設けている。液供給通路４は洗浄液タンク３から洗浄具２の全体に沿って形成されている。図１８（ｍ）は洗浄液タンク３には腹部を設けて洗浄具２と変位させ、受け部材７は洗浄具２の上部に設けている。液供給通路４は洗浄液タンク３から洗浄具２の全体に沿って形成されている。図１８（ｎ）は洗浄液タンク３には腹部を設けて洗浄具２と変位させ、受け部材７は洗浄具２の上部に設け、さらに蓋体を螺着するねじ部３ｎを設けている。液供給通路４は洗浄具２の途中で一方に変位して形成されている。図１８（ｏ）は洗浄液タンク３の上部に受け部材７を設け、さらに蓋体を螺着するねじ部３ｏを設けている。液供給通路４は洗浄具２の途中で一方へ変位して形成されている。図１８（ｐ）は洗浄液タンク３の上部に蓋体を螺着するねじ部３ｏを設け、洗浄具２に受け部材７を設けている。液供給通路４は洗浄具２の途中で一方に変位して形成されている。      
【０１１２】
［第１６の実施の形態］
第１６の実施の形態は、図１９に示すように、マスカラ洗浄具１は、洗浄具により洗浄液タンクから液供給通路を介して供給された洗浄液を身体の特定部位に供給して洗浄するように構成されている。
【０１１３】
図１９（ａ）では、中継ぎ部材２ａの１個の開口部４ｆから先端面側に洗浄液を供給し、かつ洗浄液を吸入するようになっており、開口部４ｆは洗浄ブラシ２ｂの取付位置より下方位置に形成されている。洗浄ブラシ２ｂは、心材２ｂ１に対して毛材２ｂ２が放射状に外方に突出すると共に、毛先が円錐状に切り揃えられたブラシ形状である。
【０１１４】
図１９（ｂ）では、中継ぎ部材２ａの開口部４ｆ１から先端面側に洗浄液を供給し、洗浄液を開口部４ｆ２から吸入するようになっており、開口部４ｆ１，４ｆ２は洗浄ブラシ２ｂの取付位置より下方位置に形成されている。洗浄ブラシ２ｂは、心材２ｂ１に対して毛材２ｂ２が渦巻状に外方に突出すると共に、毛先が円柱状に切り揃えられたブラシ形状である。
【０１１５】
図１８（ｃ）では、開口部４ｆ１は洗浄ブラシ２ｂの取付位置に対して上方に位置し、開口部４ｆ２は下方に位置している。洗浄ブラシ２ｂは、心材２ｂ１に対して毛材２ｂ２が放射状に外方に突出すると共に、毛先が円錐状に切り揃えられたブラシ形状であるが、ブラシ軸方向に溝を有する。
【０１１６】
図１９（ｄ）では、開口部４ｆ１は洗浄ブラシ２ｂに沿って延びる部分に複数個形成され、開口部４ｆ２は洗浄ブラシ２ｂの取付位置より下方に位置している。洗浄ブラシ２ｂは、心材２ｂ１に対して毛材２ｂ２が放射状に外方に突出すると共に、毛先が円柱状に切り揃えられたブラシ形状である。
【０１１７】
図１９（ｅ）では、開口部４ｆ１は洗浄ブラシ２ｂの取付部より上方に延びる部分に形成され、洗浄ブラシ２ｂに対して上方位置から洗浄液を霧状にして供給し、開口部４ｆ２は洗浄ブラシ２ｂの取付位置より下方に位置している。洗浄ブラシ２ｂは、心材２ｂ１に対して毛材２ｂ２が左右方向に延びる平面状に外方に突出すると共に、毛先が細くなるように切り揃えられたブラシ形状である。
【０１１８】
図１９（ｆ）では、開口部４ｆ１，４ｆ２は図１９（ｅ）と同様に構成されているが、洗浄ブラシ２ｂは、心材２ｂ１に対して毛材２ｂ２が左右方向に延びる平面状に外方に突出すると共に、毛先が平行になるように切り揃えられ、さらに心材２ｂ１を曲げたブラシ形状である。また、心材２ｂ１は曲げないで、毛材２ｂ２を皿状に曲げてもよく、心材２ｂ１を曲げ、毛材２ｂ２も皿状に曲げてもよい。
【０１１９】
図１９（ｇ）では、開口部４ｆは図１９（ａ）と同様に構成されているが、中継ぎ部材２ａに液受けカバー４ｇを洗浄ブラシ２ｂに沿うように取り付けている。洗浄ブラシ２ｂは、心材２ｂ１に対して毛材２ｂ２が放射状に外方に突出すると共に、毛先が円柱状に切り揃えられたブラシ形状である。
［第１７の実施の形態］
第１７の実施の形態を、図２０に示す。図２０（ａ）は洗浄液タンクの正面図、図２０（ｂ）は洗浄液タンクの使用状態の断面図である。このマスカラ洗浄具１の洗浄液タンク３は、弾性変形可能な材料で形成され、洗浄液タンク３は、１回毎に押してタンク内部の洗浄液を供給する構成とする。この洗浄液タンク３は、手に持って押してタンク内部の洗浄液を供給するが、この押す位置の両方に対応して内側に突出する突起３ｈを形成する。
【０１２０】
この洗浄液タンク３を、手に持って押してタンク内部の洗浄液を供給するとき、洗浄液タンク３を押すと、両方の突起３ｈが当接し、洗浄液タンク３の変形が制限されるため、タンク内部の洗浄液を供給すことができなくなり、１回分の洗浄液の供給量となる。このために、無駄な量の洗浄液を供給することがなく、さらにタンク内部の洗浄液を供給するときには、洗浄液タンク３を持った手を離すと、変形した洗浄液タンク３が元の形状に復帰し、再度洗浄液タンク３を、手に持って押してタンク内部の洗浄液を供給し、この洗浄液タンク３を押すと、両方の突起３ｈが当接し、洗浄液タンク３の変形が制限されるため、タンク内部の洗浄液を供給すことができなくなり、さらに１回分の洗浄液の供給量となり、無駄な量の洗浄液を供給することがなく、繰り返して使用することができる。
【０１２１】
この実施の形態では、両方の突起３ｈが当接し、１回分の洗浄液の供給量としているが、洗浄液タンク３を押す位置の一方に対応して内側に突出する突起３ｈを形成し、一方の突起３ｈと押す位置の他方が当接し、１回分の洗浄液の供給量としてもよい。
【０１２２】
この突起３ｈは、丸、三角、四角、楕円、棒、星形などの形状であり、１箇所に設けてもよいし、複数箇所に設けてもよい。洗浄液タンク３を押す位置は、洗浄液タンク３の略中心線Ｌ１上の位置であり、１箇所に設ける場合に略中心線Ｌ１上の対向する位置に配置され、複数箇所に設ける場合は、略中心線に対して直交する方向の線ｌ２に並べて配置される。
【産業上の利用可能性】
【０１２３】
この発明は、人の目の周囲のまつ毛に塗布されたマスカラを洗浄するマスカラ洗浄具に適用でき、まつ毛を簡便かつ安全に洗浄できる。
【符号の説明】
【０１２４】
１  マスカラ洗浄具
２  洗浄具
２ａ  中継ぎ部材
２ｂ  洗浄ブラシ
２ｃ  ブラシカバー
３  洗浄液タンク
４  液供給通路
４ｆ  開口部
【図１】
2010269120.tif 000003
【図２】
2010269120.tif 000004
【図３】
2010269120.tif 000005
【図４】
2010269120.tif 000006
【図５】
2010269120.tif 000007
【図６】
2010269120.tif 000008
【図７】
2010269120.tif 000009
【図８】
2010269120.tif 000010
【図９】
2010269120.tif 000011
【図１０】
2010269120.tif 000012
【図１１】
2010269120.tif 000013
【図１２】
2010269120.tif 000014
【図１３】
2010269120.tif 000015
【図１４】
2010269120.tif 000016
【図１５】
2010269120.tif 000017
【図１６】
2010269120.tif 000018
【図１７】
2010269120.tif 000019
【図１８】
2010269120.tif 000020
【図１９】
2010269120.tif 000021
【図２０】
2010269120.tif 000022